(57)【要約】【課題】紙製物品の全体にわたる立体絵柄による装飾を施し、物品それ自体を一段と際立たせる立体絵柄装飾物品を提供する。【解決手段】メモ帳は多数の用紙１が背面２で糊によって用紙束として束ねられる。メモ帳は最上部にカバー紙３、最下部に台紙４を備える。用紙１には紙面の中央域５から外周域６にかけて装飾パターンが印刷される。メモ帳の糊付けされない外周縁は紙面方向および用紙束厚さ方向に装飾パターンに倣う凹凸を有し、用紙１を順次めくりあるいは取り除いても、残余の用紙１の表面から外周縁にかけて立体状装飾パターンが浮出る。【選択図】　図１
2004017309.tif 000002
【特許請求の範囲】
【請求項１】
紙面の中央域から外周域にかけて装飾パターンを印刷した多数の用紙を重合し、重合した前記用紙を紙面と垂直ないずれかの用紙縁端で糊付け材料を用いて剥離可能に束ねた装飾物品であって、前記装飾物品の各非糊付け外周縁が紙面方向および用紙束厚さ方向に前記装飾パターンに倣う凹凸を有し、前記用紙を順次めくりまたは取り除いても、残余の前記用紙の表面から該非糊付け外周縁にかけて立体状装飾パターンが浮出るようにした立体絵柄装飾物品。
【請求項２】
紙面の中央域から外周域にかけて装飾パターンを印刷した多数の用紙を重合し、重合した前記用紙を用紙裏面内のいずれかの箇所に塗布した粒状粘着糊材料で接離可能に束ねた装飾物品であって、前記装飾物品の全外周縁が紙面方向および用紙束厚さ方向に前記装飾パターンに倣う凹凸を有し、前記用紙を順次めくりまたは取り除いても、残余の前記用紙の表面から該全外周縁にかけて立体状装飾パターンが浮出るようにした立体絵柄装飾物品。
【請求項３】
紙面の前記中央域に定型のフォーマットを印刷したことを特徴とする請求項１または２に記載の立体絵柄装飾物品。
【請求項４】
前記糊付け材料または粒状粘着糊材料に代えて、綴じ具または枢軸を用いて束ねるようにしたことを特徴とする請求項１、２または３に記載の立体絵柄装飾物品。
【請求項５】
前記用紙に代えて、機能紙を使用することを特徴とする請求項１、２、３または４に記載の立体絵柄装飾物品。
【請求項６】
前記中央域に定型のフォーマットを印刷するのに代えて、該中央域をブランクのままで構成したことを特徴とする請求項１、２、３、４または５に記載の立体絵柄装飾物品。
【請求項７】
紙面の、少なくとも外周域に装飾パターンを印刷した複数枚の台紙を束ねた装飾物品であって、前記装飾物品の全外周縁が紙面方向および台紙束厚さ方向に前記装飾パターンに倣う凹凸を有し、前記台紙を順次めくりまたは取り除いても、残余の前記台紙の表面から全外周縁にかけて立体状装飾パターンが浮出るようにした立体絵柄装飾物品。
【発明の詳細な説明】
【０００１】
【発明の属する技術分野】
本発明は紙製物品の全体にわたって立体絵柄による装飾を施し、物品をより際立たせるようにした立体絵柄装飾物品に関する。
【０００２】
【従来の技術】
メモ帳などの紙製物品の装飾の一つに紙面から小口にかけて絵柄を印刷して装飾するものがある。この絵柄については立体絵柄を用いてその物品の小口から浮出させ、さらに装飾効果を上げるようにしたものもある。
【０００３】
この装飾効果に優れた物品の一例は、たとえば、本出願人による特許第３２５７９８１号公報で知られている。図９に示すように、メモ帳は多数の用紙３１が背面３２で糊付けされている。装飾部としてメモ帳の前面の小口３３が選ばれている。各用紙３１には紙面の一部から小口３３にかけて自動車が印刷され、用紙３１をめくりまたは取り除いても、残余の用紙３１の表面から小口３３にかけて立体絵柄が浮出ることで、メモ帳は一段と良好な美観を呈する。
【０００４】
【発明が解決しようとする課題】
ところで、たとえば、メモ帳などの物品の装飾はその小口などの一部装飾面だけに施した、ポイントないし局部装飾である。このようなポイント装飾であっても、何らの装飾もないありきたりの物品と異なり、物品によってはそれなりに装飾によって美観が良好になり、商品価値を大きく高めることができる。
【０００５】
しかしながら、装飾がその物品の一部装飾面に限られるので、それを通して受け印象も相応のものでしかなく、とりわけ、物品を目立たせる必要のない場合にはそれでよいとしても、物品それ自体を際立たせたい場合には必ずしも満足ができず、より強い印象を与えるのにポイント装飾を超えるものを求められている。
【０００６】
本発明の目的は紙製物品の全体にわたる立体絵柄による装飾を施すことにより物品それ自体を一段と際立たせるようにした立体絵柄装飾物品を提供することにある。
【０００７】
【課題を解決するための手段】
本発明は紙面の中央域から外周域にかけて装飾パターンを印刷した多数の用紙を重合し、重合した用紙を紙面と垂直ないずれかの用紙縁端で糊付け材料を用いて剥離可能に束ねた装飾物品であって、装飾物品の各非糊付け外周縁が紙面方向および用紙束厚さ方向に装飾パターンに倣う凹凸を有し、用紙を順次めくりまたは取り除いても、残余の用紙の表面から非糊付け外周縁にかけて立体状装飾パターンが浮出るようにしたものである。
【０００８】
また、上記と異なる発明は紙面の中央域から外周域にかけて装飾パターンを印刷した多数の用紙を重合し、重合した用紙を用紙裏面内のいずれかの箇所に塗布した粒状粘着糊材料で接離可能に束ねた装飾物品であって、装飾物品の全外周縁が紙面方向および用紙束厚さ方向に装飾パターンに倣う凹凸を有し、用紙を順次めくりまたは取り除いても、残余の用紙の表面から全外周縁にかけて立体状装飾パターンが浮出るようにしたものである。
【０００９】
このような物品においては装飾パターンが物品の装飾面全体に現れるので、良好な美観を呈することと相俟って装飾効果を格段に高めることができ、物品それ自体を一段と際立たせることが可能である。したがって、物品の商品価値を格段に向上させることができる。たとえば、物品それ自体を広告媒体として利用するのであれば、選ばれたデザインの物品全体が広告宣伝用媒体として際立つことになり、視覚に訴える力が大きく強まり、これにより、広告宣伝効果を格段に向上させることが可能になる。
【００１０】
さらに、本発明は紙面の中央域に定型のフォーマットを印刷してもよい。
【００１１】
また、本発明は用紙を束ねる糊付け材料または粒子状粘着糊材料に代えて、綴じ具または枢軸を用いて束ねるようにしてもよい。
【００１２】
さらに、本発明は用紙に代えて、機能紙を使用してもよい。
【００１３】
これらの装飾物品は中央域をブランクのままで構成してもよい。
【００１４】
さらに、上記と異なる発明は紙面の、少なくとも外周域に装飾パターンを印刷した複数枚の台紙を束ねた装飾物品であって、装飾物品の全外周縁が紙面方向および台紙束厚さ方向に装飾パターンに倣う凹凸を有し、台紙を順次めくりまたは取り除いても、残余の台紙の表面から全外周縁にかけて立体状装飾パターンが浮出るようにしたものである。
【００１５】
【発明の実施の形態】
本発明の実施の形態について図面を参照して説明する。本実施の形態に係る装飾物品はメモ帳である。図１（ａ）（ｂ）において、このメモ帳は、たとえば、１００枚の筆記用用紙１がその背面２で、たとえば、アラビア糊によって用紙束として束ねられている。この用紙１の背面２以外の糊付けされない各外周縁は後記の装飾パターンに従い連続した曲線をもって断裁されている。このメモ帳は最上部にカバー紙３、最下部に台紙４を備える。
【００１６】
また、各用紙１には紙面の中央域５から外周域６にかけて予め選ばれたデザインの装飾パターンが印刷される。装飾パターンは、本実施の形態では、自動車であり、この自動車は中央域５から外周域６にかけて絵柄の一体性を保つように印刷される。この中央域５には、同時に、メモ帳の定型のフォーマット、たとえば、複数本の罫線を印刷している。なお、このフォーマット印刷は全体をブランクとして省略してもよい。
【００１７】
一方、メモ帳は背面２以外の各外周縁が紙面方向に自動車全体のボディラインに倣う曲線で断裁されている。また、メモ帳は用紙束厚さ方向に自動車の前部ではボンネット、フロントグリル、フロントライト、バンパーに、また自動車の側部ではフロントドア、リアドア、サイドボディラインに倣う曲線で断裁されている。
【００１８】
用紙束厚さ方向に自動車のプロフィールを表現するのに、好ましくは、細部の表現には拘泥しないで、自動車の特徴を示す重要な箇所だけを立体的に表わすようにすればよい。このような曲線を主体とするプロフィール加工を実現する技術は種々の方法があるが、最も有力であるのは超音波カッターによる断裁方法である。
【００１９】
図２にボンネット、フロントグリル、フロントライト、バンパー部のプロフィール加工の一例を示す。用紙束がボンネットＢｏ、フロントグリルＧおよびバンパーＢｕの順に滑らかな曲線を保って断裁されている。
【００２０】
このようなメモ帳においては用紙束をぱらぱらめくると、メモ帳の糊付けされない外周縁で立体状のボンネット、フロントグリル、フロントライト、バンパーなどが浮出る。このメモ帳によれば、装飾パターンが物品の装飾面全体に及ぶので、良好な美観を呈することと相俟って装飾効果を格段に高めることができ、物品自体を一段と際立たせることが可能で、メモ帳の商品価値を大きく向上させることができる。
【００２１】
また、物品が良好な美観を呈するのに欠かせない、絵柄の一体性が保たれることで、その絵柄が持つ本来の美観が損なわれるのを最小限に抑えることができる。一方、装飾パターンのためにメモ帳に本来的に求められる機能が損なわれることはない。
【００２２】
なお、本実施の形態は図示のものと同一デザインを用いてダイアリー、卓上カレンダを構成してもよい。この場合、用紙１の紙面の中央域５にはダイアリーおよび卓上カレンダの定型のフォーマットを印刷する。また、本実施の形態は用紙束を束ねるのにバインダを使用してもよい。
【００２３】
さらに、本発明の上記と異なる実施の形態について図３および図４を参照して説明する。本実施の形態に係る物品はメモ用紙である。図３（ａ）（ｂ）において、このメモ用紙は各筆記用用紙１１の裏面のほぼ中央域に塗布される、たとえば、粒状粘着糊によって用紙束として綴られている。粒状粘着糊とは、この技術分野でよく知られた繰り返し貼り付け、剥がすことのできる、粒状の粘着剤を称する。この用紙１１の全外周部は後記の装飾パターンに倣って滑らかな曲線をもって断裁されている。また、用紙１１は最上部にカバー紙１２、最下部に台紙（図示せず）を備える。
【００２４】
さらに、各用紙１１は紙面の中央域１３から外周域１４にかけて予め選ばれたデザインの装飾パターンが印刷される。この装飾パターンはサッカー用ボールであり、本実施の形態では、特に、物品の装飾パターンを強く印象づけるためにボールは中央域１３から外周域１４全体にわたって絵柄の一体性を保つように印刷される。この中央域１３には、同時に、メモ用紙の定型フォーマット、たとえば、複数本の罫線を印刷している。
【００２５】
一方、メモ用紙は全外周縁が紙面方向にボールに倣う曲線で断裁されている。また、メモ用紙は用紙束厚さ方向に同様にボールに倣う曲線で断裁されている。このボールに倣う曲線を主体とするプロフィール加工を実現するには超音波カッターによる断裁方法を利用する。
【００２６】
図４に本実施の形態のボールのプロフィール加工の一例を示す。用紙束はボールが持つ滑らかな曲線を保って断裁されている。
【００２７】
このようなメモ用紙においては用紙束をぱらぱらとめくると、メモ用紙の全外周縁において立体状のサッカー用ボールが浮出る。本実施の形態においても装飾パターンが物品の装飾面全体に及ぶことから、良好な美観を呈することと相俟って装飾効果を格段に高めることができる。これにより、物品自体を一段と際立たせることが可能になり、メモ用紙の商品価値を大きく向上させることができる。
【００２８】
さらに、特に、円形デザインの物品は、たとえば、それを広告媒体として利用する場合、物品それ自体が広告宣伝用媒体となるので、視覚に訴える力が大きく強まり、広告宣伝効果を上げることが可能である。
【００２９】
また、物品が良好な美観を呈するうえで欠かせない、絵柄の一体性が保たれることによりその絵柄が持つ本来の美観が損なわれるのを最小限に抑えることができる。
【００３０】
本発明の上記と異なる実施の形態について図５を参照して説明する。本実施の形態の物品はメモ用紙である。装飾パターンは上記実施の形態と同様なサッカー用ボールである。ボールは中央域１３から外周域１４全体にわたって絵柄の一体性を保つように印刷される。本実施の形態では粒状粘着糊に代えて、多数の用紙１１を束ねるためにバインダ１５を使用する点が異なる。各用紙１１には貫通孔１６を穿っており、そこにバインダ１５が装着される。このバインダ１５はメモ用紙をフック（図示せず）を用いて吊り下げて使用する場合、フックから吊り下げるためのリングとして用いることができる。
【００３１】
本実施の形態においても装飾パターンが物品の装飾面全体に及ぶことから、良好な美観を呈することと相俟って装飾効果を格段に高めることができる。これにより、物品自体を一段と際立たせることが可能になり、メモ用紙の商品価値を大きく向上させることができる。
【００３２】
なお，本実施の形態はバインダに代えて，たとえば，プレート上に立設した１本ないしそれ以上の枢軸によって綴じるようにしてもよい。この場合、各用紙には円形または角形などの枢軸断面形状に倣う孔を穿孔する。
【００３３】
本発明の上記と異なる実施の形態について図６を参照して説明する。本実施の形態の物品はダイアリーである。装飾パターンは上記実施の形態と同様なサッカー用ボールである。このダイアリーはプレート１７と一体に構成したもので、すべての用紙１１がプレート１７に固定したバインダ１８によって綴られている。プレート１７はプラスチック製であり、金属製のバインダ１８が着脱可能に設けられている。
【００３４】
本実施の形態においても装飾パターンが物品の装飾面全体に及ぶことから、良好な美観を呈することと相俟って装飾効果を格段に高めることができる。これにより、物品自体を一段と際立たせることが可能になり、ダイアリーの商品価値を大きく向上させることができる。
【００３５】
なお、本実施の形態はダイアリーをプレート１７と一体に構成するものに代えて、台紙に、たとえば、厚いボード紙を使用し、各用紙１１を適当なバインダを用いて束ねるようにしてもよい。
【００３６】
本発明の上記と異なる実施の形態について図７を参照して説明する。本実施の形態の物品はふき取り紙であるが、このふき取り紙は上記実施の形態の筆記に適した用紙に代えて、ふき取り用機能紙１９を使用する。この明細書で用いられるとき、機能紙とは、紙それ自体に特殊な機能を付与させたものを称する。機能紙１９は、これに限られないが、ふき取り紙、吸い取り紙などを含む。ふき取り紙には、たとえば、エンボス加工を施した適当な用紙を使用し、吸い取り紙はより吸湿性に優れた用紙を用いるのが望ましい。
【００３７】
このふき取り紙は適当な糊またはバインダを用いて束ねるか、あるいは束ねることなく、専用の収納ボックスに収容するようにしてもよい。
【００３８】
このような機能紙を用いることにより通常の用紙を用いたものと比べて、単に装飾品だけで終わらない、より実用的な働きを得ることが可能になる。なお、同様な機能紙は先に述べた実施の形態のメモ帳、メモ用紙などに使用してもよい。
【００３９】
本発明の上記と異なる実施の形態について図８を参照して説明する。本実施の形態の物品はコースターである。それぞれ台紙２１は厚みのある紙からなる。台紙２１の中央域２２にはすべり止めのためのエンボス加工が施され、外周域２３には予め選ばれたデザインの装飾パターンが印刷される。各台紙２１は背面側の縁端で、たとえば、アラビア糊で束ねられている。
【００４０】
本実施の形態においても装飾パターンが物品の装飾面全体に及ぶことから、良好な美観を呈することと相俟って装飾効果を格段に高めることができる。これにより、物品自体を一段と際立たせることが可能になり、コースターの商品価値を大きく向上させることができる。
【００４１】
【発明の効果】
本発明によれば、選ばれた装飾パターンが物品の装飾面全体に現れるので、良好な美観を呈することと相俟って装飾効果を格段に高めることができ、物品それ自体を一段と際立たせることが可能である。したがって、物品の商品価値を格段に向上させることができる。
【図面の簡単な説明】
【図１】本発明に係る装飾物品の実施の形態を示すもので、（ａ）は使用前のメモ帳を示す斜視図、（ｂ）はカバー紙を除いたメモ帳を示す斜視図である。
【図２】本発明に係る用紙束のプロフィール加工の一例を示す断面図である。
【図３】本発明に係る装飾物品の他の実施の形態を示すもので、（ａ）は使用前のメモ用紙を示す斜視図、（ｂ）はカバー紙を除いたメモ用紙を示す斜視図である。
【図４】本発明に係る用紙束のプロフィール加工の一例を示す断面図である。
【図５】本発明に係る装飾物品の他の実施の形態を示す斜視図である。
【図６】本発明に係る装飾物品の他の実施の形態を示す斜視図である。
【図７】本発明に係る装飾物品の他の実施の形態を示す斜視図である。
【図８】本発明に係る装飾物品の他の実施の形態を示す斜視図である。
【図９】従来技術によるメモ帳の一例を示す斜視図である。
【符号の説明】
１、１１…　　用紙
３、１２…　カバー紙
５、１３、２２…　中央域
６、１４、２３…　外周域
１６、１８…　バインダ
１７…　プレート
１９…　機能紙
２１…　台紙
【図１】
2004017309.tif 000003
【図２】
2004017309.tif 000004
【図３】
2004017309.tif 000005
【図４】
2004017309.tif 000006
【図５】
2004017309.tif 000007
【図６】
2004017309.tif 000008
【図７】
2004017309.tif 000009
【図８】
2004017309.tif 000010
【図９】
2004017309.tif 000011